(57)【特許請求の範囲】
【請求項１】
予め定められる移動方向に移動可能に設けられる一対のスライド部と、
各スライド部を連結する連結部と、
各スライド部を前記移動方向に変位駆動する駆動手段と、
連結部が挿通可能な開口が形成される壁部と、
前記壁部の開口を封鎖可能なシャッタ部材であって、移動方向に直交するとともに２つのスライド部を結ぶ直交方向に延びる角変位軸線まわりに角変位可能に設けられるシャッタ部材と、
開口よりも移動方向一方に連結部が移動することに連動してシャッタ部材を変位させるシャッタ部材変位手段であって、シャッタ部材の厚み方向一方の表面が移動方向に略直交な平面に沿う立位状態に復元するばね力を与えるシャッタ部材変位手段とを備え、
連結部が収容位置に位置する状態では、シャッタ部材は、厚み方向一方の表面が移動方向および直交方向に略平行な平面に沿う臥位状態となることを特徴とするスライド機構を有する電子機器。
【請求項２】
シャッタ部材変位手段は、臥位状態からシャッタ部材を角変位軸線まわりに周方向一方に角変位する力を与えるばね手段と、
立位状態を超えてシャッタ部材が角変位軸線まわりに周方向一方に角変位することを阻止する規制部材とを含むことを特徴とする請求項１記載の電子機器。
【請求項３】
シャッタ部材は、前記立位状態で移動方向一方に突出する突起部が設けられ、突起部は、角部が面取りされた滑らかな形状に形成されることを特徴とする請求項１または２記載の電子機器。
【請求項４】
連結部には、壁部に対して変位させるための変位対象物が連結されることを特徴とする請求項１〜３のいずれか１つに記載の電子機器。
【発明の詳細な説明】
【技術分野】
【０００１】
本発明は、スライド機構を有する電子機器に関し、特に表示体を傾斜可能なスライド機構を有する電子機器に関する。
【背景技術】
【０００２】
図１４は、従来技術の電子機器１の一部を切断して示す断面図である。車載用オーディオ機器などの電子機器１には、表示体３を傾斜させるためのスライド機構を有するものがある。このような従来技術の電子機器１は、略直方体板状に形成される表示体３と、表示体を傾動可能に支持する壁体５と、壁体５に対してスライド変位可能なスライド体２と、スライド体２を変位駆動する駆動手段４とを含んで構成される（たとえば特許文献１）。
【０００３】
表示体３は、幅方向両端部にそれぞれ係合ピン６，７が設けられる。幅方向一端部３ａの第１係合ピン６は、壁体５に形成される長孔８に緩やかに嵌合する。長孔８は、スライド体２のスライド方向Ｘと垂直な方向に延びる。幅方向他端部３ｂの第２係合ピン７は、スライド体２に形成される嵌合部９に緩やかに嵌合する。表示体３は、壁体５に対してスライド方向一方Ｘ１側となる外部空間１１に配置される。駆動手段４および電子回路などの内部部品は、壁体５に対してスライド方向他方Ｘ２側となる内部空間１２に配置される。
【０００４】
駆動手段４によってスライド体２を変位駆動させた場合、表示体３の幅方向他端部３ｂは、スライド体２とともに壁体５に対してスライド変位する。これに対して、表示体３の幅方向一端部３ａは、第１係合ピン６によって、壁体５に嵌合した状態で長孔８の長手方向に移動する。これによって壁体５に対して表示体３を傾動変位させることができる。
【０００５】
図１５は、表示体３の幅方向他端部３ｂを壁体５から最も離反させた表示体傾斜状態を示す断面図である。壁体５は、スライド方向Ｘに貫通して、スライド体２が挿通するための開口１０が形成される。表示体傾斜状態では、壁体５に対して、スライド方向Ｘにスライド体２が開口１０を挿通する。
【０００６】
図１６および図１７は、スライド体２と、スライド体２をスライド方向Ｘにスライド可能に案内するガイド体１５とを示す斜視図である。スライド体２は、表示体３の長手方向両側にそれぞれ設けられる一対のスライド部２ａ，２ｂと、スライド部２ａ，２ｂのスライド方向一方側部分を連結する連結部２ｃとを有する。スライド部２ａ，２ｂは、ガイド体１５にそれぞれ案内され、スライド方向Ｘに移動可能となる。
【０００７】
図１６は、スライド体をスライド方向他方Ｘ２に移動させた第１状態を示し、図１７は、スライド体をスライド方向一方Ｘ１に移動させた第２状態を示す。連結部２ｃは、第１状態では内部空間１２に位置し、第２状態では外部空間１１に位置する。したがって壁体５に形成される開口１０は、連結部２ｃよりも大きく形成する必要がある。すなわち、スライド方向Ｘに垂直な投影面にスライド体２を投影した面積よりも大きく形成される。
【０００８】
【特許文献１】特開２００１−３６２７３号公報
【発明の開示】
【発明が解決しようとする課題】
【０００９】
図１６および図１７に示すように、スライド体２に連結部２ｃが形成される場合、表示体３の長手方向と等しい長さを有する、比較的大きな開口１０が必要となる。図１７に示す表示体傾斜状態となると、表示体３が傾斜するとともに連結部２ｃが外部空間１１に移動して、開口１０が外部空間１１に露出する。この場合、電子機器の取付角度によっては、開口１０を通して、内部空間１２に配置される内部部品を、操作者が視認可能となってしまう。内部部品が操作者に見えてしまうと、視覚を通じた電子機器の美感が損なわれてしまうという問題がある。また表示体３を傾斜させる電子機器のほか、上述した連結部２ｃを有するスライド体を有するスライド機構を有する電子機器についても同様の問題が生じる。
【００１０】
したがって本発明は、内部部品が見えてしまうのを防いで美観を向上することができる電子機器を提供することを目的とする。
【課題を解決するための手段】
【００１１】
本発明は、予め定められる移動方向に移動可能に設けられる一対のスライド部と、
各スライド部を連結する連結部と、
各スライド部を前記移動方向に変位駆動する駆動手段と、
連結部が挿通可能な開口が形成される壁部と、
前記壁部の開口を封鎖可能なシャッタ部材であって、移動方向に直交するとともに２つのスライド部を結ぶ直交方向に延びる角変位軸線まわりに角変位可能に設けられるシャッタ部材と、
開口よりも移動方向一方に連結部が移動することに連動してシャッタ部材を変位させるシャッタ部材変位手段であって、シャッタ部材の厚み方向一方の表面が移動方向に略直交な平面に沿う立位状態に復元するばね力を与えるシャッタ部材変位手段とを備え、
連結部が収容位置に位置する状態では、シャッタ部材は、厚み方向一方の表面が移動方向および直交方向に略平行な平面に沿う臥位状態となることを特徴とするスライド機構を有する電子機器である。
【００１４】
また本発明は、シャッタ部材変位手段は、臥位状態からシャッタ部材を角変位軸線まわりに周方向一方に角変位する力を与えるばね手段と、
立位状態を超えてシャッタ部材が角変位軸線まわりに周方向一方に角変位することを阻止する規制部材とを含むことを特徴とする。
【００１５】
また本発明は、シャッタ部材は、前記立位状態で移動方向一方に突出する突起部が設けられ、突起部は、角部が面取りされた滑らかな形状に形成されることを特徴とする。
【００１６】
また本発明は、連結部には、壁部に対して変位させるための変位対象物が連結されることを特徴とする。
【発明の効果】
【００１７】
本発明に従えば、連結部が開口よりも移動方向他方に位置する状態では、移動方向一方から見た場合に、連結部によって壁部の開口が塞がれる。これによって開口から内部部品が見えることを防ぐことができる。また駆動手段によってスライド部を移動方向に移動させると、スライド部とともに連結部が移動方向一方に移動する。連結部が、壁部の開口を通過して移動方向一方に移動すると、連結部による開口の封鎖状態が解消される。本発明では、連結部による開口の封鎖状態が解消されたとしても、シャッタ部材変位手段が、連結部の移動に連動してシャッタ部材を変位させて壁部の開口を塞ぐ。これによって連結部を外部空間に移動させたとしても、シャッタ機構によって開口から内部部品が見えることを防ぐことができる。
【００１８】
このように本発明によれば、連結部が壁部よりも移動方向他方に位置するときには連結部で、また連結部が壁部よりも移動方向一方に位置するときにはシャッタ機構で、開口を塞ぐ。このように連結部の移動位置に拘わらず、壁部の開口を塞ぐことができる。これによって開口から内部部品が操作者に見えてしまうことを防ぐことができるので、視覚を通じて電子機器の美観が損なわれることを防ぐことができ、電子部品のデザイン性を向上することができる。
【００１９】
また、壁部に対して移動方向一方に位置する連結部が、壁部よりも移動方向他方に向かって移動する場合、連結部の移動方向他方側端部がシャッタ部材に当接して、連結部の移動とともにシャッタ部材を角変位軸線まわりに角変位させて、シャッタ部材による開口の封鎖状態を解消して、連結部が壁部よりも移動方向他方に移動する。連結部が壁部よりも移動方向他方にある状態では、シャッタ部材はばね力によって連結部を押圧し、シャッタ部材と連結部とが当接する当接状態を保つ。また壁部よりも移動方向他方に位置する連結部が、壁部よりも移動方向一方に向かって移動する場合、連結部の移動方向他方側端部とシャッタ部材の当接状態が解消されることで、シャッタ部材は、与えられるばね力によって立位状態に復元し、開口を塞ぐ。
【００２０】
このように本発明によれば、ばね力によってシャッタ部材を角変位させることによって、連結部を変位移動するための新たな動力を必要とすることがないので、部品点数を削減することができ、製造コストを低減することができる。さらに連結部が壁部よりも移動方向他方に位置する状態では、シャッタ部材と連結部との当接状態が維持されるので、シャッタ部材が振動することを防ぎ、連結部とシャッタ部材とが衝突することに起因する衝突音の発生を防ぐことができる。
【００２１】
また、連結部が収容位置に位置する状態では、シャッタ部材は、臥位状態で配置される。この場合、連結部が壁部よりも移動方向一方に移動すると、ばね力によってシャッタ部材が角変位して、臥位状態から立位状態となり開口を塞ぐ。また連結部が壁部よりも移動方向他方に移動すると、連結部がシャッタ部材に当接してシャッタ部材が角変位して、立位状態から臥位状態となる。
【００２２】
このように本発明によれば、連結部が収容位置に位置する状態では、臥位状態でシャッタ部材が位置する。これによって壁部よりも移動方向他方の収容位置に位置する連結部よりも、移動方向他方側にシャッタ部材を配置するための空間を別途必要とすることがなく、内部空間を有効に利用することができる。またシャッタ部材は、臥位状態で配置されることで、電子機器を小形化することができる。
【００２３】
また本発明に従えば、連結部が壁部よりも移動方向他方の位置から移動方向一方に移動して、シャッタ部材と連結部との当接状態が解除されると、シャッタ部材は、周方向一方に角変位する。そしてシャッタ部材は、予め定める立位状態に角変位すると、規制部材によってさらなる角変位が阻止される。また壁部よりも移動方向一方に位置する連結部が、壁部よりも移動方向他方に向かって移動する場合には、連結部がシャッタ部材に与えられるばね力に抗して周方向他方にシャッタ部材を角変位させることで、シャッタ部材は、立位状態から臥位状態に角変位する。
【００２４】
このように本発明によれば、ばね手段は、周方向一方に角変位する回転力をシャッタ部材に与えるだけでよいので、ねじりコイルばねなどによって容易に実現することができる。また規制部材によって角変位を阻止することで、シャッタ部材が立位状態を超えて角変位することを防ぐことができ、連結部の移動を阻害する位置にシャッタ部材が移動することが妨げられる。これによって連結部の移動を円滑に行うことができる。
【００２５】
また本発明に従えば、連結部が壁部よりも移動方向他方に移動する場合、連結部がシャッタ部材の突起部に当接し、当接状態を維持した状態で収容位置に移動する。また連結部が壁部よりも移動方向一方に移動する場合も、シャッタ部材が立位状態に達するまで、連結部とシャッタ部材の突起部との当接状態を維持した状態で移動する。連結部がシャッタ部材に当接する位置およびシャッタ部材が連結部に当接する位置は、連結部の移動に伴って移動する。本実施の形態では、突起部の角部が面取りされることで、互いの接触部分が滑らかに移動する。
【００２６】
このように本発明によれば、突起部は、角部が面取りされた形状に形成されるので、連結部とシャッタ部材の突起部とが滑らかに接触し、接触部分の移動時に生じる抵抗を小さくすることができる。また連結部の移動時に発生する、シャッタ部材と連結部との衝突音および摺動音を抑えることができる。これによって操作者に違和感および不快感を与えることを防ぎ、電子機器の商品性を向上することができる。たとえば突起部が合成樹脂によって実現されることによって、衝突音および摺動音をさらに抑えることができる。
【００２７】
また本発明に従えば、連結部は壁部に対して移動方向に変位することが可能となる。したがって連結部に連結される変位対象物もまた、連結部とともに壁部に対して変位する。これによって変位対象物を変位させることができる。また変位対象物を変位するにあたって、連結部が壁部よりも移動方向一方に位置する場合には、上述したようにシャッタ機構が開口を封鎖する。ことによって、変位対象物を変位させた状態であっても、壁部よりも移動方向他方に配置される内部部品が開口から見えることを防ぐことができる。たとえば変位対象物は、壁部に対して傾斜角度が変化する表示体であってもよい。
【００２８】
このように本発明によれば、変位対象物を変位させることができ、かつ開口から内部部品が見えることを防ぐことができるので、商品性を向上することができる。
【発明を実施するための最良の形態】
【００２９】
図１は、本発明の第１実施形態であるスライド機構を有する電子機器２０の一部を示す平面図であり、図２は、電子機器２０の一部を示す側面図である。また図３は、電子機器２０の使用状態を示す斜視図である。図３に示すように、本実施形態では、電子機器２０は、表示体３０と、正面壁部３１とを有する。正面壁部３１に対して一方側となる表側に表示体３０が配置され、正面壁部３１に対して他方側となる裏側に電子回路を構成する電子基板などが配置される。たとえば電子機器２０は、車載用ナビゲーション装置または車両用画像表示装置などに用いられ、車両に搭載される。
【００３０】
電子機器２０は、正面壁部３１に対する表示体３０の傾斜を変更可能とするためのスライド機構を備える。スライド機構は、正面壁部３１の厚み方向である移動方向Ｘに移動可能なスライド体３３と、スライド体３３を駆動する駆動手段とを有する。表示体３０は、略直方体板状に形成され、たとえば液晶表示装置によって実現される。表示体３０は、幅方向両端部にそれぞれ係合ピンが設けられる。幅方向一端部の第１係合ピンは、正面壁体３１に形成される長孔に緩やかに嵌合する。長孔は、スライド体３３の移動方向Ｘと交差する方向に延びる。幅方向他端部の第２係合ピンは、スライド体３３に形成される嵌合部３４に緩やかに嵌合する。
【００３１】
駆動手段によってスライド体３３を移動方向Ｘに変位駆動させた場合、表示体３０の幅方向他端部は、スライド体３３とともに正面壁体３１に対して変位する。これに対して、表示体３０の幅方向一端部は、第１係合ピンによって、正面壁体３１に嵌合した状態で長孔の長手方向に移動する。これによって正面壁体３１に対して表示体３０を傾動変位させることができる。
【００３２】
表示体３０を傾動変位させることによって、操作者が表示体３０を見やすい角度に調整することができる。また表示体３０と表面壁体３１とが重なった状態から、表示体３０をずらすことで、正面壁体３１に設けられる操作スイッチ３５を操作したり、正面壁体３１に設けられる表示を確認したり、正面壁体３１に形成される挿入スロットにコンパクトディスク、ミニディスクなどを挿入したりすることができる。
【００３３】
図１に示すように、電子機器２０は、筐体の一部を構成する底部２１と、底部２１に対して予め定める移動方向Ｘに移動可能なスライド体３３と、スライド体３３を移動方向Ｘに変位する駆動手段２２とを有する。スライド体３３は、移動方向Ｘに対して直交する直交方向Ｙに間隔をあけて配置される一対のスライド部２４ａ，２４ｂと、一対のスライド部２４ａ，２４ｂを連結する連結部２５とを含んで構成される。各スライド部２４ａ，２４ｂは、移動方向Ｘに延びる長尺形状に形成され、直交方向Ｙに間隔をあけて互いに平行に延びる。連結部２５は、直交方向Ｙに延びて、各スライド部２４ａ，２４ｂの移動方向一方Ｘ１側端部をそれぞれ連結する。また連結部２５は、移動方向Ｘおよび直交方向Ｙを含む平面に沿って延びる略長尺板状に形成される。
【００３４】
底部２１は、移動方向Ｘおよび直交方向Ｙを含む平面に沿って延びる平面板状に形成される。底部２１には、各スライド部２４ａ，２４ｂをそれぞれ移動方向Ｘに案内するガイド部が固定される。本実施の形態では、スライド部２４ａ，２４ｂごとにそれぞれガイド体２３ａ，２３ｂが設けられる。各ガイド体２３は各スライド部２４ａ，２４ｂに嵌合して、各スライド部２４ａ，２４ｂの移動方向Ｘの移動を許容し、残余の方向移動を阻止する。各ガイド体２３ａ，２３ｂは、移動方向Ｘに延びる長尺形状に形成され、直交方向Ｙに間隔をあけて互いに平行に延びる。また各ガイド体２３ａ，２３ｂは、各スライド部２４ａ，２４ｂの間よりも外側の空間に配置される。したがって各ガイド体２３ａ，２３ｂを固定する底部２１は、各スライド部２４ａ，２４ｂの間の直交方向Ｙ距離、各スライド部２４の移動方向Ｘ寸法よりも大きく形成される。
【００３５】
駆動手段２２は、２つのスライド部２４ａ，２４ｂのうち、少なくとも一方のスライド部２４ａに移動方向Ｘの動力を与える。本実施の形態では、駆動手段２２は、電気モータ２６と、電気モータ２６の出力軸に設けられるモータ側歯車２７と、モータ側歯車２７の回転力を移動方向Ｘの動力に変換してスライド部２４に伝達する複数の歯車群２８とを含んで構成される。歯車群２８には、回転力を直線力に変換するピニオンギア２８ａとラックギア２８ｂとが含まれ、本実施の形態では、ラックギア２８ｂは、一方のスライド部２４ａに固定される。
【００３６】
電気モータ２６の出力軸が周方向一方向に回転することによって、歯車群２８に動力が伝達される。これによってピニオンギア２８ａを介して移動方向一方Ｘ１の移動力が、ラックギア２８ｂとともに一方のスライド部２４ａに与えられる。一方のスライド部２４ａに直線方向一方の動力が与えられると、各スライド部２４ａ，２４ｂおよび連結部２５を含むスライド体３３が、底部２１に対して移動方向一方Ｘ１に移動する。同様に電気モータ２６の出力軸が周方向他方に回転することによって、スライド体３３は、底部２１に対して移動方向他方Ｘ２に移動する。スライド体３３が底部２１に対して、最も移動方向他方Ｘ２に移動した位置を収容位置と称する。
【００３７】
収容位置にスライド体３３が配置された状態で、連結部２５よりも移動方向他方Ｘ２側であって、２つのスライド部２４ａ，２４ｂの間とのとなる内部空間５２で、駆動手段２２が底部２１に固定される。そのほか、電子機器２０を動作するために必要な電子部品などの内部部品が、内部空間５２に配置される。内部空間５２に配置される内部部品は、連結部２５よりも移動方向他方Ｘ２に配置されるので、スライド体３３が移動方向Ｘに移動したとしても、スライド体３３と干渉することが防がれる。
【００３８】
電子機器２０は、筐体の一部を構成する正面壁部３１が設けられる。正面壁部３１は、底部２１に連結され、底部２１から移動方向Ｘに対して交差する平面に沿って延びる。正面壁部３１は、筐体の内部空間５２と、筐体の外部空間５３とを仕切る仕切りの一部を構成する。正面壁部３１よりも移動方向一方Ｘ１側となる表側の空間が外部空間５３となる。また正面壁部３１よりも移動方向他方Ｘ２側となる裏側の空間が内部空間５２となる。
【００３９】
スライド体３３が収容位置に位置する場合には、連結部２５は、正面壁部３１よりも移動方向他方Ｘ２に位置する。またスライド体３３が収容位置から移動方向他方Ｘ２に向かって移動すると、連結部２５は、正面壁部３１を挿通して、正面壁部３１の移動方向一方Ｘ１側に移動可能に形成される。具体的には、正面壁部３１には、スライド体３３が移動方向に通過可能な開口３２が形成される。開口３２は、スライド体３３のうち連結部２５および各スライド部２４ａ，２４ｂが挿通可能となるために、スライド体３３を移動方向に垂直な投影面に投影した投影形状よりも大きく形成される。
【００４０】
これによってスライド体３３は、正面壁部３１に対して移動方向一方Ｘ１側および移動方向他方Ｘ２側に移動することができる。したがって上述したようにスライド体３３に、表示体３０の幅方向他端部の第２係合ピンが嵌合する嵌合部３４が形成されることによって、スライド体３３の移動方向Ｘの移動に応じて、表示体３０を傾斜変位させることができる。ここで、スライド体３３が収容位置に収容された状態であっても、嵌合部３４は、正面壁部３１の開口３２よりも移動方向一方Ｘ１に突出する。したがって嵌合部３４のうち表示体３０に連結する部分は、スライド体３３が収容位置に位置したとしても、正面壁部３１よりも移動方向一方Ｘ１に位置する。また嵌合部３４が２つのスライド部２４ａ，２４ｂを連結する連結部２５に連結されることによって、表示体３０を安定して精度よく傾動変位させることができる。
【００４１】
また電子機器２０は、シャッタ機構１９を有する。シャッタ機構１９は、連結部２５が正面壁部３１の開口３２を移動方向一方Ｘ１に通過して外部空間５３に移動した状態で、正面壁部３１の開口３２を塞ぐ。ここで本発明において「開口３２を塞ぐこと」は、開口３２の一部を塞ぐ場合も含む。本実施の形態では、シャッタ機構１９は、板状のシャッタ部材４０と、シャッタ部材４０を変位させるシャッタ部材変位手段４１とを有する。図２には、想像線で開口３２を示し、シャッタ部材４０によって開口３２を塞いだ状態を示す。シャッタ部材４０は、直交方向Ｙに沿って延び、厚み方向一方の表面の面積が開口３２の面積とほぼ同程度に形成される。
【００４２】
図４は、移動方向他方側からシャッタ機構１９を見た斜視図である。底部２１には、直交方向Ｙに延びる角変位軸線Ｌ１が設定される。シャッタ部材４０は、角変位軸線Ｌ１まわりに角変位可能に、底部２１に設けられる。具体的には、シャッタ部材４０は、長方形板状に形成される板状部分４２と、板状部分４２の幅方向一端部に連なって筒状に形成される筒状部分４３とを有する。筒状部分４３は、角変位軸線Ｌ１と同軸に延びる。筒状部分４３には、角変位軸線Ｌ１と同軸に延びる軸体４４が挿通する。軸体４４は、底部２１に固定される。軸体４４は、筒状部分４３に緩やかに挿通する。
【００４３】
これによってシャッタ部材４０は、軸体４４を介して底部２１に連結され、軸体４４の軸線まわりに角変位可能Ｌ１となる。シャッタ部材４０は、角変位軸線Ｌ１まわりに角変位することで、シャッタ部材４０の厚み方向一方の表面が移動方向Ｘに略垂直な平面に沿う立位状態と、シャッタ部材４０の厚み方向一方の表面が移動方向Ｘに略水平な平面に沿う臥位状態とにそれぞれ切り替え可能となる。図４には、立位状態となるシャッタ部材４０を示す。
【００４４】
シャッタ部材変位手段４１は、本実施の形態では、ねじりばね４５を含んで実現される。ねじりばね４５は、コイル状に線材が複数回旋廻するコイル部分４６と、コイル部分４６の線材一端部に連なって、コイル部分４６から半径方向に突出する第１突出部４７と、コイル部分４６の線材の他端部に連なってコイル部分４６から半径方向に突出する第２突出部４８とを有する。第１突出部４７と第２突出部４８とは、外力が与えられていない自然状態で、コイル部分４６の軸線に対して互いに９０度以上離れて配置される。
【００４５】
シャッタ部材４０の筒状部分４３は、シャッタ部材４０の長手方向に複数並んで配置される。軸体４４は、シャッタ部材４０の長手方向一端部で、１または複数の筒状部分４３を挿通し、長手方向中央部でねじりばね４５のコイル部分４６を挿通し、長手方向他端部で、１または複数の筒状部分４３を挿通する。ねじりばね４５の第１突出部４７が底部２１に当接し、第２突出部４８がシャッタ部材４０の板状部分４２に当接する。この状態で、第１突出部４７と第２突出部４８との角度が小さくなる方向に、シャッタ部材４０を角変位軸線Ｌ１まわりに角変位させると、ねじりばね４５は、復元力であるばね力を発生する。
【００４６】
図５は、移動方向一方側からシャッタ機構１９を示す斜視図である。シャッタ部材変位手段４１は、本実施の形態では、ねじりばね４５のほかに規制部４９を含んで実現される。規制部４９は、立位状態を超えてシャッタ部材４０が角変位軸線Ｌ１まわりに周方向一方に角変位することを阻止する。本実施の形態では、規制部４９は、シャッタ部材４０の板状部分４２からその厚み方向一方に突出して、シャッタ部材４０の幅方向に延びる。規制部４９は、シャッタ部材４０の板状部分４２よりも厚み方向一方に予め定める距離Ａ離れて配置される。
【００４７】
ねじりばね４５によって周方向一方にシャッタ部材４０が角変位したとしても、シャッタ部材４０よりも先に規制部４９が底部２１に当接し、シャッタ部材４０のさらなる角変位が阻止される。規制部４９が底部２１に当接した状態で、シャッタ部材４０の厚み方向一方の表面が移動方向Ｘに略垂直となるように設定する。これによって規制部４９と底部２１とが当接した状態で、シャッタ部材４０は、ねじりばね４５によるばね力に抗する反力が、底部２１から規制部４９を介して与えられ、立位状態を維持する。このように、ねじりばね４５と規制部４９とを用いることによって、シャッタ部材４０を変位するシャッタ部材変位手段４１を簡単な構成で実現することができる。
【００４８】
図６は、スライド体３３が収容位置に配置された状態を示す正面図であり、図７は、スライド体３３が収容位置に配置された状態を示す側面図である。図１および図２は、連結部２５が外部空間５３に位置するのに対して、図６および図７は、連結部２５が内部空間５２に位置する。
【００４９】
スライド体３３が収容位置に配置された状態では、シャッタ部材４０は、連結部２５と底部２１との間に配置されて、厚み方向一方の表面が移動方向Ｘおよび直交方向Ｙに略垂直な平面に沿う臥位状態となる。これによってシャッタ部材４０は、移動方向Ｘに関して、収容位置に位置する連結部２５と同じ位置に配置させることができる。これによってシャッタ部材４０を連結部２５よりも移動方向他方Ｘ２に配置する必要がなく、内部空間５２を有効に利用することができる。また角変位軸線Ｌ１をできるだけ移動方向一方Ｘ１に配置することができる。本実施の形態では、角変位軸線Ｌ１は、開口３２と内部空間との境界に沿って延びる。これによって開口３２から内部空間５２が見えることをより確実に防ぐことができる。また図７に示すように、シャッタ部材４０は、臥位状態で連結部２５と底部２１との間に配置されることで、連結部２５と底部２１との隙間が小さい場合であっても、シャッタ部材４０を配置することができ、電子機器を小型化することができる。
【００５０】
図８は、スライド体３３が移動方向一方Ｘ１に移動する状態を示す図である。シャッタ部材４０は、立位状態で移動方向一方Ｘ１に突出する突起部５０が設けられ、突起部５０は、角部が面取りされた滑らかな形状に形成される。突起部５０は、電気モータが配置される側となる直交方向一方側に配置される。スライド体３３は、図８（１）〜図８（４）の順で移動方向一方Ｘ２に進む。
【００５１】
連結部２５が収容位置から移動方向一方Ｘ１に移動して、開口３２を通過する場合、連結部２５の移動に連動してねじりばね４５がシャッタ部材４０を角変位させて、シャッタ部材４０によって正面壁部３１の開口３２を塞ぐ。
【００５２】
具体的には、図８（１）に示すように、連結部２５が収容位置に位置する場合には、シャッタ部材４０は、ねじりばね４５によって周方向一方に角変位するばね力が与えられ、連結部２５に当接する。これによってシャッタ部材４０の変位が阻止され、臥位状態を維持する。このときシャッタ部材４０は、突起部５０が連結部２５に当接する。
【００５３】
図８（２）に示すように、連結部２５が移動方向一方Ｘ１に移動すると、シャッタ部材４０に対して連結部２５が移動方向一方Ｘ１に摺動移動する。そして、連結部２５の移動方向他端部Ｘ１が突起部５０と接触することになる。
【００５４】
さらに連結部２５が移動方向一方Ｘ１に移動すると、図８（３）に示すように、シャッタ部材４０は、ねじりばね４６から与えられるばね力によって角変位し、突起部５０は、連結部２５の移動方向他方側面と当接する。シャッタ部材４０は、連結部２５の移動方向他方側側面と当接した状態で、突起部５０が連結部２５と同様に移動方向一方Ｘ１に移動する。すなわちシャッタ部材４０が連結部２５の移動に応じて周方向一方に角変位する。
【００５５】
連結部２５の移動方向一方Ｘ１への移動とともにシャッタ部材４０が角変位すると、図８（３）に示すように、規制部４９と底部２１とが当接する。これによってシャッタ部材４０は、さらなる周方向一方への角変位が阻止され、連結部２５との当接状態が解除されて立位状態となる。
【００５６】
外部空間５３に位置する連結部２５が移動方向他方Ｘ２に移動して、収容位置に移動する場合には、図８（１）〜図８（４）を用いて説明した動作と反対の順序の動作が行われる。
【００５７】
すなわち図８（４）に示す状態となる外部空間５３から連結部２５が移動方向他方Ｘ２に移動する場合、図８（３）に示すように、連結部２５がシャッタ部材４０の突起部５０に当接する。そして図８（２）に示すように、連結部２５がシャッタ部材４０との当接状態を維持した状態で移動方向他方Ｘ２に移動する。連結部２５は、シャッタ部材４０を角変位軸線Ｌ１まわりに周方向他方に角変位させる。図８（１）に示すように、連結部２５が内部空間５２に位置した状態では、シャッタ部材４０は、連結部２５と底部２１との間に位置し、臥位状態となる。
【００５８】
このように本実施の形態によれば、シャッタ部材４０は、連結部２５の移動に連動して変位する。本実施の形態では、ねじりばねによって連動機構を実現するので、シャッタ部材４０を変位するための新たな動力を必要とせず、部品点数を削減することができ、製造コストを低減することができる。また連結部２５の移動方向他方Ｘ２への移動に応じて、シャッタ部材４０によって開口３２を封鎖した状態を解消することで、シャッタ部材４０が連結部２５の移動を阻害することを防ぐことができ、連結部２５を円滑に移動させることができる。また本発明では、シャッタ部材を連動するとは、連結部材の移動に応じてシャッタ部材を移動させることであって、連結部材を移動させる動力と別の動力によってシャッタ部材を変位させてもよい。
【００５９】
また本実施の形態では、連結部２５が内部空間５２に位置する状態では、シャッタ部材４０は、ねじりばね４６から与えられるばね力によって連結部２５を押圧し、シャッタ部材４０と連結部２５とが当接する当接状態を保つ。これによってシャッタ部材４０が振動することを防ぎ、連結部２５とシャッタ部材４０とが衝突することに起因する衝突音の発生を防ぐことができる。
【００６０】
また本実施の形態では、連結部２５は、直交方向Ｙ中央部に比べて、直交方向両端部の移動方向Ｘ寸法が大きく形成される。突起部５０は、連結部２５の直交方向一端部に当接する。これによってシャッタ部材４０は、直交方向Ｙ中央部に当接するまえに突起部５０を当接させることができる。
【００６１】
また図８を用いて説明したように、連結部２５は、シャッタ部材４０の突起部５０に当接した状態で摺動移動する。連結部２５がシャッタ部材４０に当接する位置およびシャッタ部材４０が連結部２５に当接する位置は、連結部２５の移動に伴って変化する。本実施の形態では、突起部５０の角部が面取りされることで、連結部２５とシャッタ部材４０の突起部５０とが滑らかに接触し、接触部分の移動時に生じる抵抗を小さくすることができる。また連結部２５の移動時に発生する、シャッタ部材４０と連結部２５との衝突音および摺動音を抑えることができる。これによって操作者に違和感および不快感を与えることを防ぎ、電子機器の商品性を向上することができる。また突起部５０が合成樹脂によって実現されることによって、衝突音および摺動音をさらに抑えることができる。本実施の形態では、突起部５０は、エンジニアリングプラスチックの１つであるポリアセタールコポリマー（商品名ジュラコン）を用いて実現される。
【００６２】
またシャッタ部材４０の板状部分４２は、金属、具体的にはアルミニウム合金によって実現することで、十分な剛性を得たうえで薄肉化を図ることができ、連結部２５と底部２１との間の隙間を十分に小さくすることができる。またシャッタ機構の強度を得るために、シャッタ部材４０の板状部分４２に直交方向Ｙに延びるリブを形成することが好ましい。また筒状部分４３を直交方向Ｙに複数箇所に設け、１つの筒状部分を直交方向Ｙに比較的長くすることが好ましい。これによってシャッタ部材４０が予め定める使用回数で、繰返し角変位したとても、シャッタ機構１９が損傷することを防ぐことができる。
【００６３】
図９は、電子機器２０が車両に搭載された状態を示す図である。本実施の形態では電子機器は、底部２１が水平面から傾斜して装着される。具体的には、移動方向Ｘが水平面に対して、移動方向一方Ｘ１に沿って進むにつれて上方に進むように、約３０度傾斜して装着される。電子機器２０が操作者の頭部よりも下方に位置する場合、操作者５６の目線５５と、移動方向Ｘとがほぼ平行となる場合がある。この場合、図９に示すように、スライド体３３を外部空間５３に移動させた場合には、表示体３０が傾斜することによって、正面壁部３１の開口３２が見えやすくなる。
【００６４】
図１０は、水平面に対して傾斜して装着される電子機器２０を簡略化して示す断面図であり、図１０（１）は、連結部２５が内部空間５２に位置する状態を示し、図１０（２）は、連結部２５が外部空間５３に位置する状態を示す。図１０では、破線で示す矢印５５で操作者の目線の進む方向を示す。
【００６５】
図１０（１）に示すように、連結部２５が内部空間５２に位置する状態では、表示体３０によって、正面壁部３１の開口３２が塞がれる。また仮に表示体３０が存在しない場合であっても、連結部２５が内部空間５２に配置されるので、連結部２５によって正面壁部３１の開口３２が塞がれる。これによって開口３２から内部部品、たとえば回路基板５１が見えることを防ぐことができる。
【００６６】
また図１０（２）に示すように、連結部２５が外部空間５３に位置する状態では、表示体３０が角変位して、正面壁部３１の開口３２が露出するとともに、連結部２５による開口３２の封鎖状態が解消される。この場合、本実施の形態では、シャッタ機構１９によって正面壁部３１の開口３２を塞ぐ。具体的には、シャッタ部材４０によって開口３２を塞ぐ。これによって開口３２から回路基板５１などの内部部品が操作者に見えることを防ぐことができる。
【００６７】
このように本実施の形態によれば、連結部２５が内部空間５２に位置するときには連結部２５で、また連結部２５が外部空間５３に位置するときにはシャッタ機構１９で、正面壁部３１の開口３２を塞ぐ。このように連結部２５の位置に拘わらず、正面壁部３１の開口３２を塞ぐことができる。これによって開口から内部部品が操作者に見えてしまうことを防ぐことができるので、視覚を通じて電子機器の美観が損なわれることを防ぐことができ、電子部品のデザイン性を向上することができる。
【００６８】
また本実施の形態では、連結部２５とシャッタ部材４０とが当接し、連結部２５の移動に連動してシャッタ部材４０が変位する。これによって、シャッタ部材４０を変位するための新たな動力を必要としないので、部品点数を削減することができ、製造コストを低減することができる。また連結部２５の移動方向他方Ｘ２への移動に応じて、開口を封鎖した状態を解消することで、シャッタ部材４０が連結部２５の移動を阻害することを防ぐことができ、連結部２５、ひいてはスライド体３３を移動方向Ｘに円滑に移動させることができる。
【００６９】
またシャッタ部材４０は、内部空間５２に配置される回路基板５１よりも移動方向一方Ｘ１に配置されるとともに、回路基板５１よりも直交方向寸法Ｘ２が大きく構成される。これによって回路基板５１が操作者に見えることを防ぐことができる。またシャッタ部材の幅方向寸法は、連結部２５の直交方向Ｙ一端部の移動方向寸法とほぼ同じ大きさに形成される。直交方向Ｙ一端部の寸法は、連結部２５の直交方向中央に比べて大きく形成されるので、シャッタ部材４０が立位状態となった場合の、シャッタ部材４０の底部２１からの高さを比較的高くすることができる。本実施の形態では、底部２１から連結部２５までの高さよりも、底部２１からシャッタ部材４０の高さを高くすることができる。これによって、電子機器が傾斜して取り付けられた場合であっても、より確実に内部部品が見えることを防ぐことができる。またシャッタ部材４０は、立位状態で、操作者が開口３２を見るであろう目線５５に対して、厚み方向一方の表面が略９０度となるように配置されることが好ましい。これによって内部空間が見えることをより好適に防ぐことができる。このように立位状態におけるシャッタ部材４０の角度は、規制部４９の位置を変更することによって容易に調整することができる。
【００７０】
また一対のスライド部２４ａ，２４ｂ、連結部２５およびシャッタ部材４０は、明度が低い色に着色され、本実施の形態では黒色に着色される。したがって開口３２付近では、光の反射を抑えることができ、開口３２付近を暗くすることができる。これによって開口３２から内部部品が操作者に見えてしまうことをさらに防ぐことができるので、視覚を通じて電子機器２０の美観が損なわれることを防いで、電子部品のデザイン性をさらに向上することができる。また一対のスライド部２４ａ，２４ｂ、連結部２５およびシャッタ部材４０の色を同一色および類似色とすることで、シャッタ部材の存在を認識しにくくすることができ、連結部２５によって開口３２を塞いだ状態と、シャッタ部材４０によって開口３２を塞いだ状態とで、操作者に与える違和感を少なくすることができる。
【００７１】
図１１は、本発明の第２実施形態であるスライド機構を有する電子機器２０の一部を示す断面図である。第２実施形態は、第１実施形態と類似した構成を有し、シャッタ機構の構成が異なり、残余の構成については同じである。したがってシャッタ機構について説明し、他の構成については、第１実施形態と同様の参照符号を付して説明を省略する。
【００７２】
第２実施形態では、シャッタ部材４０の幅方向一端部には、シャッタ部材４０の角変位軸線Ｌ１と同軸に、シャッタ用出力歯車６０が固定される。また駆動手段２２における歯車群２８のいずれか１つは、シャッタ用入力歯車６１となる。シャッタ用入力歯車６０とシャッタ用出力歯車６１との間には、１または複数のシャッタ用中間歯車６２が介在する。各歯車６２は、互いに噛合して、駆動手段２２における電気モータ２６の出力軸の回転をシャッタ部材４０に伝達する。
【００７３】
スライド体３３の連結部２５が外部空間５３に移動すると、シャッタ部材４０は角変位軸線Ｌ１まわりに角変位して、開口３２を塞ぐ。またスライド体３３の連結部２５が内部空間５２に移動すると、シャッタ部材４０は角変位軸線Ｌ１まわりに角変位して開口３２を開放する。このようにスライド体３３の移動と連動させて、シャッタ部材４０を開閉させることができる。この動作は、スライド体３３を移動させるための動力を利用しているので、歯車のギヤ比などを調整するだけでよく、別途シャッタ部材４０の角変位タイミングを調整する必要がない。これによって第１実施形態と同様の効果を得ることができる。
【００７４】
図１２は、本発明の第３実施形態であるスライド機構を有する電子機器２０の一部を示す断面図である。第３実施形態は、第１実施形態と類似した構成を有し、シャッタ機構の構成が異なり、残余の構成については同じである。したがってシャッタ機構について説明し、他の構成については、第１実施形態と同様の参照符号を付して説明を省略する。
【００７５】
シャッタ部材４０は、予め定める角変位軸線Ｌ１まわりに角変位可能に、正面壁体３１の内面部に設けられる。シャッタ部材４０は、角変位軸線Ｌ１まわりに角変位することで、開口３２を閉鎖する閉鎖状態と開口３２を開放する開放状態とにわたって変化する。たとえばシャッタ部材４０は、ねじりばねによって、前記予め定める角変位軸線Ｌ１まわりに、図１２における時計まわりの方向への押圧力が与えられる。またシャッタ部材４０は、閉鎖状態において、図１２における時計まわりの方向へ角変位が阻止されている。
【００７６】
スライド体３３の連結部２５が外部空間５３にあるとき、シャッタ部材４０は閉鎖状態である。スライド体３３の連結部２５が内部空間５２に向かって移動方向他方Ｘ２に移動すると、スライド体３３における連結部２５がシャッタ部材４０の一部に当接する。前記連結部２５の一部によって、シャッタ部材４０が図１２における反時計まわりの方向へ押圧されて角変位し、これによってシャッタ部材４０が閉鎖状態から開放状態に変化する。
【００７７】
スライド体３３の連結部２５が内部空間５２にあるとき、シャッタ部材４０は開放状態である。スライド体３３の連結部２５が内部空間５２から外部空間５３に移動するとき、シャッタ部材４０は、前記連結部２５の一部による押圧から解放され、図１２における時計まわりの方向へ角変位し、これによってシャッタ部材が開放状態から閉鎖状態に変化する。これによって第１実施形態と同様の効果を得ることができる。
【００７８】
図１３は、本発明の第４実施形態であるスライド機構を有する電子機器２０の一部を示す断面図である。第３実施形態は、第１実施形態と類似した構成を有し、シャッタ機構の構成が異なり、残余の構成については同じである。したがってシャッタ機構について説明し、他の構成については、第１実施形態と同様の参照符号を付して説明を省略する。
【００７９】
シャッタ部材４０には、底部２１に設けられるアクチュエータ６３の一端部が連結される。アクチュエータ６３は、スライド体３３の移動に連動して、シャッタ部材４０を、開放状態と閉鎖状態とにわたって変化させる。これによって第１実施形態と同様の効果を得ることができる。
【００８０】
以上のような本発明の各実施形態は、発明の例示に過ぎず、発明の範囲内で構成を変更することができる。たとえば本発明は、表示体３０以外の移動対象物を変位させる装置であってもよい。
【図面の簡単な説明】
【００８１】
【図１】本発明の第１実施形態であるスライド機構を有する電子機器２０の一部を示す平面図である。
【図２】電子機器２０の一部を示す側面図である。
【図３】電子機器２０の使用状態を示す斜視図である。
【図４】移動方向他方側からシャッタ機構１９を見た斜視図である。
【図５】移動方向一方側からシャッタ機構１９を示す斜視図である。
【図６】スライド体３３が収容位置に配置された状態を示す正面図である。
【図７】スライド体３３が収容位置に配置された状態を示す側面図である。
【図８】スライド体３３が移動方向一方Ｘ１に移動する状態を示す図である。
【図９】電子機器２０が車両に搭載された状態を示す図である。
【図１０】水平面に対して傾斜して装着される電子機器２０を簡略化して示す断面図である。
【図１１】本発明の第２実施形態であるスライド機構を有する電子機器２０の一部を示す断面図である。
【図１２】本発明の第３実施形態であるスライド機構を有する電子機器２０の一部を示す断面図である。
【図１３】本発明の第４実施形態であるスライド機構を有する電子機器２０の一部を示す断面図である。
【図１４】従来技術の電子機器１の一部を切断して示す断面図である。
【図１５】表示体３の幅方向他端部３ｂを壁体５から最も離反させた表示体傾斜状態を示す断面図である。
【図１６】スライド体をスライド方向他方Ｘ２に移動させた第１状態を示す図である。
【図１７】スライド体をスライド方向一方Ｘ１に移動させた第２状態を示す図である。
【符号の説明】
【００８２】
１９  シャッタ機構
２０  電子機器
２１  底部
２２  駆動手段
２４ａ，２４ｂ  スライド部
２５  連結部
３１  正面壁部
３２  開口
３３  表示体
４０  シャッタ部材
４５  ねじりばね
４９  規制部
５０  突起部
５１  回路基板
５２  内部空間
５３  外部空間
【図１】
0004805647.tif 000002
【図２】
0004805647.tif 000003
【図３】
0004805647.tif 000004
【図４】
0004805647.tif 000005
【図５】
0004805647.tif 000006
【図６】
0004805647.tif 000007
【図７】
0004805647.tif 000008
【図８】
0004805647.tif 000009
【図９】
0004805647.tif 000010
【図１０】
0004805647.tif 000011
【図１１】
0004805647.tif 000012
【図１２】
0004805647.tif 000013
【図１３】
0004805647.tif 000014
【図１４】
0004805647.tif 000015
【図１５】
0004805647.tif 000016
【図１６】
0004805647.tif 000017
【図１７】
0004805647.tif 000018